(57)【要約】【課題】  光学読み取り装置で読み取られる文字情報とバーコードとが加熱印字される帳票用紙にあって、文字情報の光学読み取りを容易にし、かつ、高精度のバーコードの加熱印字を可能にする帳票用紙を提供する。【解決手段】  バーコード印字領域５ａの表面に、タック値が1.0〜3.0、硬化後の熱伝導率が0.13〜0.30Ｗ／Ｋｍとなる特性を備えた顔料を含まないインキを塗布してなる厚さ0.5〜3.0μmの尾引き発色防止層６を設けた。【選択図】    図２
2005271525.tif 000002
【特許請求の範囲】
【請求項１】
紙基材上に感熱発色層からなる印字面が形成され、該印字面に、光学読み取り装置で読み取られる複数種類の黒バーと白スペースを並列してなるバーコードの、その黒バーが紙送り方向に直交するようにしてサーマルプリンタで加熱印字されるバーコード印字領域と、光学読み取り装置で読み取られる文字情報が加熱印字される文字情報印字領域とが設けられた帳票用紙において、
前記バーコード印字領域の表面に、タック値が1.0〜3.0、硬化後の熱伝導率が0.13〜0.30Ｗ／Ｋｍとなる特性を備えた顔料を含まないインキを塗布してなる厚さ0.5〜3.0μmの尾引き発色防止層が設けられていることを特徴とする帳票用紙。
【請求項２】
尾引き発色防止層がシリコンを 1〜 3％含有していることを特徴とする請求項１記載の帳票用紙。
【発明の詳細な説明】
【技術分野】
【０００１】
本発明は、サーマルプリンタによる高精度のバーコードの印字に適した帳票用紙に関する。
【背景技術】
【０００２】
ガス，電気，水道等の検針業務にあっては、その場で検針票の作成が可能で、携帯性及び利便性に優れたハンディターミナルが多用されているが、近年、このハンディターミナルに内蔵されているサーマルプリンタによって、感熱記録紙からなる帳票用紙の感熱発色層を発色させて印字を行うことにより、検針票とともに所要情報をバーコードで表示した料金払込票が作成されるようになった（例えば、特許文献１参照）。
【０００３】
これは、検針時に、顧客番号，払込金額，払込期限，請求年月日，受領金融機関コード，請求元企業コード，その他の所要情報をバーコードで表示した料金払込票をハンディターミナルで作成して顧客に渡し、顧客が該料金払込票をＰＯＳ端末が設置されたコンビニエンスストアー等に持ち込むことにより、店側が表示されているバーコードを光学読み取り装置で読み取って決済を行う決済方法を可能にするものである。
【０００４】
ところで、バーコードは、幅の異なる複数種類の黒バー及び白スペースを、所定の組み合わせパターンで交互に並列させることにより、数字，アルファベット，記号等からなる所要情報を表すものであるが、バーパターンを構成する最小単位である黒バーと白スペースの種類によってバイナリレベル（２値化レベル）とマルチレベルとに分類される。バイナリレベルのバーコードは、図４（イ）に示すように、細黒バー（ＮＢ：ナローバー），太黒バー（ＷＢ：ワイドバー），細白スペース（ＮＳ：ナロースペース），太白スペース（ＷＳ：ワイドペース）の夫々幅が異なる二種類の黒バーと白スペースとが使用され、この細黒バー（ＮＢ）及び細白スペース（ＮＳ）と、太黒バー（ＷＢ）及び太白スペース（ＷＳ）との幅比率が
ＮＢ：ＷＢ＝ＮＳ：ＷＳ＝１：２〜３
と定められている。即ち、細黒バー（ＮＢ）及び細白スペース（ＮＳ）の幅比率を１としたとき、太黒バー（ＷＢ）及び太白スペース（ＷＳ）の幅比率は２〜３の範囲であればよく、その幅比率の許容範囲が広いという特徴がある。このようなバイナリレベルのバーコードとしては、ＣＯＤＥ３９，ＮＷ−７，ＩＴＦ等が知られている。
【０００５】
一方、マルチレベルのバーコードは、図４（ロ）に示すように、夫々幅が異なる四種類の黒バー（Ｂ1，Ｂ2，Ｂ3，Ｂ4）と白スペース（Ｓ1，Ｓ2，Ｓ3，Ｓ4）とが使用され、各黒バー及び白スペースの幅比率は、
Ｂ1：Ｂ2：Ｂ3：Ｂ4＝Ｓ1：Ｓ2：Ｓ3：Ｓ4＝１：２：３：４
と定められている。このマルチレベルのバーコードは、前記バイナリレベルのものに比してバーコードの全体長が同じであれば、より多くの情報を表示することができるという利点を有する反面、幅比率の許容範囲が殆どなく、印字精度が低いと各黒バー及び白スペースの幅の区別がつきにくくなり、光学読み取り装置による読み取りエラーの発生率が高くなる。このようなマルチレベルのバーコードとしては、ＥＡＮ-１２８が知られている。
【特許文献１】特開２００３−１１４３３号公報
【発明の開示】
【発明が解決しようとする課題】
【０００６】
ところで、上記のような料金払込票の作成に際して、ハンディターミナルに内蔵されたサーマルプリンタによってバーコードを加熱印字した場合、印字速度，サーマルヘッドによる印加熱量（印字エネルギー）或いは帳票用紙の感熱発色層に設定されている発色感度等の要因によって、紙送り方向の後部側が適正な印字範囲を超えて発色してしまう尾引き発色が生じることがある。即ち、感熱発色層の発色感度よりヘッドの印加熱量が高い場合、或いは印字速度が速い場合等にあっては、図５に示すように、細黒バー（ＮＢ），太黒バー（ＷＢ）が、設定された基本幅よりα分ずつ紙送り方向Ｆの後方側に広がってしまう尾引き発色が生じ易く、その分、後方側で隣接する細白スペース（ＮＳ）及び太白スペース（ＷＳ）の幅が狭くなってしまう。
【０００７】
ここで、印字されるバーコードが、ＣＯＤＥ３９等のバイナリレベルのバーコードであれば、上述したように、黒バーと白スペースとの幅比率の許容範囲が比較的広いため、尾引き発色で広がった黒バーの全幅がその幅比率の許容範囲内であれば、光学読み取り装置による読み取りは可能である。ところが、バイナリレベルのバーコードは、情報表示量が少ないため、例えばＣＯＤＥ３９を用いて前記料金払込票に表示される所要情報のバーコードを形成すると、該バーコードが３個乃至４個必要となる。しかし乍ら、ハンディターミナルに使用される帳票用紙は、紙幅が狭く、また料金払込票の形態としても余り長いものにはできない。このため、必要な文字情報とともに複数個のバーコードを印字するにはスペース的に無理がある。
【０００８】
従って、このような限られたスペースに必要な全ての所要情報を１個のバーコードで表示するには、情報密度が高いマルチレベルのバーコード（ＥＡＮ-１２８）を用いるのがよいのであるが、このマルチレベルのバーコードにあっては、上述したように、黒バーと白スペースとの幅比率の許容範囲が殆どないため、尾引き発色によって該幅比率が変化すると、光学読み取り装置による読み取りができなくなるという問題点があった。
【０００９】
本発明は、かかる問題点を解消し、サーマルプリンタによる高精度のバーコードの印字を可能とする帳票用紙を提供することを目的とするものである。
【課題を解決するための手段】
【００１０】
本発明は、紙基材上に感熱発色層からなる印字面が形成され、該印字面に、光学読み取り装置で読み取られる複数種類の黒バーと白スペースを並列してなるバーコードの、その黒バーが紙送り方向に直交するようにしてサーマルプリンタで加熱印字されるバーコード印字領域と、光学読み取り装置で読み取られる文字情報が加熱印字される文字情報印字領域とが設けられた帳票用紙において、前記バーコード印字領域の表面に、タック値が1.0〜3.0（単位なし）、硬化後の熱伝導率が0.13〜0.30Ｗ／Ｋｍとなる特性を備えた顔料を含まないインキを塗布してなる厚さ0.5〜3.0μmの尾引き発色防止層が設けられていることを特徴とする帳票用紙である。
【００１１】
ここで、バーコード印字領域と、文字情報印字領域とは、印字面の異なる位置に設けられ、尾引き発色防止層は、バーコード印字領域の表面のみに、或いは文字情報印字領域以外のバーコード印字領域を含む印字面に設けられる。また、バーコード印字領域に加熱印字されるバーコードは、情報密度が高いＥＡＮ-１２８規格に基づくバーパターンのバーコードが適用される。
【００１２】
また、塗布するインキにシリコンを 1〜 3％含有したものを用いることにより、尾引き発色防止層にシリコンを 1〜 3％含有させるようにした構成が提案される。
【発明の効果】
【００１３】
本発明は、上述したように、紙基材上に感熱発色層からなる印字面が形成され、該印字面に、光学読み取り装置で読み取られる複数種類の黒バーと白スペースを並列してなるバーコードの、その黒バーが紙送り方向に直交するようにしてサーマルプリンタで加熱印字されるバーコード印字領域と、光学読み取り装置で読み取られる文字情報が加熱印字される文字情報印字領域とが設けられた帳票用紙において、前記バーコード印字領域の表面に、タック値が1.0〜3.0、硬化後の熱伝導率が0.13〜0.30Ｗ／Ｋｍとなる特性を備えた顔料を含まないインキを塗布してなる厚さ0.5〜3.0μmの尾引き発色防止層が設けられた帳票用紙であるから、サーマルプリンタのサーマルヘッドによって、文字情報の加熱印字に適した若干過剰な印加熱量（印字エネルギー）で、バーコード印字領域にバーコードを印字し、かつ文字情報印字領域に文字情報を印字すると、文字情報印字領域に印字された文字情報は太くなって光学読み取りに有利となる。一方、バーコード印字領域の表面には、厚さ0.5〜3.0μmで熱伝導率0.13〜0.30Ｗ／Ｋｍの尾引き発色防止層が設けられていることにより、バーコード印字領域の感熱発色層に対する過剰な印加熱量の熱伝導が抑止されて適度の印加熱量となり、尾引き発色を生じることなく、黒バーと白スペースの幅比率が適正なバーコードを印字することができる。また、尾引き発色防止層の印刷に用いるインキが、タック値1.0〜3.0の低粘度であるため、印刷時においてインキ表面が平準化され、尾引き発色防止層の表面の平滑度が高められる。さらに、該インキは顔料を含まないため、サーマルヘッドの摩耗が防止される。これにより、前記尾引き発色防止作用と相俟ってバーコードの印字品質が向上し、黒バーと白スペースとの幅比率の許容範囲が殆どないＥＡＮ-１２８規格に基づくバーパターンのバーコードを、高精度で印字することができる。
【００１４】
また、尾引き発色防止層にシリコンを 1〜 3％含有させるようにした構成にあっては、尾引き発色防止層の表面の滑性が向上し、サーマルヘッドとの接触に起因するインキ滓の発生が防止され、該インキ滓がサーマルヘッドに付着しなくなるため、これによっても印字品質を向上させることができる。
【発明を実施するための最良の形態】
【００１５】
以下に、本発明の一実施例を、図１〜図３に基づいて説明する。
本発明にかかる帳票用紙１は、図１に示すように、紙基材２の表面に感熱発色層３が形成され、該感熱発色層３の上面が印字面４となっている。この印字面４には、図２に示すように、バーコード印字領域５ａと、文字情報印字領域５ｂとが設けられており、該バーコード印字領域５ａの表面に尾引き発色防止層６が形成されている。ここで、該尾引き発色防止層６は、粘り具合を表すタック値が1.0〜3.0（単位なし）、硬化後の熱伝導率が0.13〜0.30Ｗ／Ｋｍとなる特性を備えた顔料を含まないインキをオフセット印刷等の印刷手段を用いてベタ印刷して塗布することにより、0.5〜3.0μmの厚さ（インキ硬化後の厚さ）で設けられている。尚、塗布する前記インキにシリコンを 1〜 3％含有したものを用いることにより、尾引き発色防止層６にシリコンを 1〜 3％含有させるようにしてもよい。
【００１６】
この尾引き発色防止層６の厚さは、インキの塗布量の指標となる光沢度を光沢度計（例：株式会社 村上色彩技術研究所製；光沢度計ＧＭＸ−２０２型）で管理することで設定可能であり、該光沢度計で６０度鏡面光沢度を測定し、インキの塗布部と未塗布部の差が２〜９になるように設定される。
【００１７】
上記尾引き発色防止層６を構成するインキとしては、株式会社Ｔ＆Ｋ ＴＯＫＡ製のＵＶ ＮＶＲニスに助剤（コシキリ剤，レジューサー等）を加えたものが好適に用いられ得る。尚、このインキに、シリコンを 1〜 3％加えたものであってもよい。
【００１８】
上記帳票用紙１は、長尺な連続状に形成されており、ハンディターミナルでの使用に適するように、ロール状に巻回されている。図２は、サーマルプリンタを内蔵したハンディターミナル７を用いて、帳票用紙１に対して検針票８と料金払込票９の所要表示情報を印字する状態を示す概略図であり、料金払込票９となる印字面４に予め設けられたバーコード印字領域５ａには、黒バーが紙送り方向Ｆに直交するようにして、複数種類の黒バーと白スペースを並列してなるバーコード１０が加熱印字される。該バーコード１０は、ＥＡＮ-１２８規格に基づく４４桁のバーコードが適用され、１個のバーコード１０でコンビニエンスストアの収納代行に必要な顧客番号，払込金額，払込期限，請求年月日，受領金融機関コード，請求元企業コード，その他の所要情報が表示されることとなる。また、文字情報印字領域５ｂには、光学読み取り装置で読み取られる所定内容の文字情報１１が加熱印字される。該文字情報１１は、数字，特定の英字及び記号によって口座番号，金額等を表示するものであって、郵便局或いは銀行での料金払込時に光学読み取り装置で読み取られ、迅速かつ正確な料金収納処理に供される。尚、前記バーコード印字領域５ａ及び文字情報印字領域５ｂ以外の印字面４には、図示省略されているが、所定の目視情報が加熱印字され、検針票８と料金払込票９を構成することとなる。
【００１９】
ここで、前記尾引き発色防止層６の作用を確認するため、紙基材２上に形成された感熱発色層３の片側に前記構成からなる尾引き発色防止層６を設けた試料を作成し、この試料の尾引き発色防止層６のある部分と無い部分とに、サーマルヘッドの印字エネルギーを段階的に変化させて、ＥＡＮ-１２８規格のバーコードを夫々印字し、このバーコードを光学読み取り装置（スキャナ）で読み取る試験を行った。尚、バーコードの印字は、株式会社テック製Ｂ−４５８型のサーマルプリンタを使用して、50mm/秒と100mm/秒の二種類の印字速度（印字して紙送りする速度）で実施し、バーコードの読み取りには、株式会社ウェルキャット製ＲＨＴ−１００−０１型のハンディスキャナを使用した。また、バーコードは、市販のバーコード作成ソフトによって４４桁のＥＡＮ-１２８規格のものを作成し、このバーコードを、その黒バーが紙送り方向に直交するようにして印字した。
【００２０】
上記読み取り試験の結果を図３に示す。ここで、「Ａ」は尾引き発色防止層６が無い部分、「Ｂ」は尾引き発色防止層６がある部分を示し、この「Ａ」及び「Ｂ」に印字したバーコードを、一回のスキャンで確実に読み取れる場合には「○」、殆ど一回のスキャンで読み取り可能であるが読み取れない時に再スキャンすると読み取れる場合には「△」、読み取り不可の場合には「×」の記号を付して評価してある。この図表にあって、印字速度が50mm/秒の場合、尾引き発色防止層６が無い部分「Ａ」では、印字エネルギーが0.35〜0.40mJ/dotの範囲内で印字されたバーコードが読み取り可能であり、そのうち「○」の評価は印字エネルギーが0.37mJ/dotの場合だけとなっている。これに対して、尾引き発色防止層６がある部分「Ｂ」では、印字エネルギーが0.37〜0.42mJ/dotの範囲内で印字されたバーコードが読み取り可能であり、そのうち、印字エネルギーが0.37mJ/dotと0.40mJ/dotの場合に「○」の評価となっている。この結果から、尾引き発色防止層６を設けることにより、感熱発色層に対する過剰な印加熱量の熱伝導が抑止されて適度の印加熱量となり、尾引き発色を生じることなく、黒バーと白スペースの幅比率が適正な高精度のバーコードが印字されたことが理解される。また、「○」の評価が得られる印字エネルギーの設定範囲が拡大するとともに、設定可能な印字エネルギーが高い方に移行していることにより、尾引き発色防止層６がない文字情報印字領域５ｂ（図２参照）に印字される文字情報１１を、若干過剰な印加熱量で印字して太くすることができ、該文字情報１１の光学読み取りが容易となるとともに、その他の目視情報が視認し易いものとなる。
【００２１】
また、印字速度が100mm/秒の場合には、尾引き発色防止層６が無い部分「Ａ」と、ある部分「Ｂ」の何れにあっても「○」の評価は得られないが、尾引き発色防止層６を設けることにより、「△」の評価のバーコードが印字される印字エネルギーの設定範囲が0.37mJ/dotまで拡大することが解る。また、設定可能な印字エネルギーの範囲が高い方に拡大することにより、上記と同様に、尾引き発色防止層６がない文字情報印字領域５ｂ（図２参照）に印字される文字情報１１を、若干過剰な印加熱量で印字して太くすることができ、該文字情報１１の光学読み取りが容易となるとともに、その他の目視情報が視認し易いものとなる。
【００２２】
上述したように、本発明は、紙基材２上に感熱発色層３からなる印字面４が形成され、該印字面４に、光学読み取り装置で読み取られる複数種類の黒バーと白スペースを並列してなるバーコード１０の、その黒バーが紙送り方向Ｆに直交するようにしてサーマルプリンタで加熱印字されるバーコード印字領域５ａと、光学読み取り装置で読み取られる文字情報１１が加熱印字される文字情報印字領域５ｂとが設けられた帳票用紙１において、前記バーコード印字領域５ａの表面に、タック値が1.0〜3.0、硬化後の熱伝導率が0.13〜0.30Ｗ／Ｋｍとなる特性を備えた顔料を含まないインキを塗布してなる厚さ0.5〜3.0μmの尾引き発色防止層６を設けたので、サーマルプリンタのサーマルヘッドによって、文字情報１１の加熱印字に適した若干過剰な印加熱量（印字エネルギー）で、バーコード印字領域５ａにバーコード１０を印字し、かつ文字情報印字領域５ｂに文字情報１１を印字すると、文字情報印字領域５ｂに印字された文字情報１１は太くなって光学読み取りに有利となる一方、尾引き発色防止層６により、バーコード印字領域５ａの感熱発色層３に対する過剰な印加熱量の熱伝導が抑止されて適度の印加熱量となり、尾引き発色を生じることなく、黒バーと白スペースの幅比率が適正なバーコード１０をバーコード印字領域５ａに印字することができる。また、尾引き発色防止層６の印刷に用いるインキが、タック値1.0〜3.0の低粘度であるため、印刷時においてインキ表面が平準化され、尾引き発色防止層６の表面の平滑度が高められる。さらに、該インキは顔料を含まないため、サーマルヘッドの摩耗が防止される。これにより、前記尾引き発色防止作用と相俟ってバーコード１０の印字品質が向上し、黒バーと白スペースとの幅比率の許容範囲が殆どないＥＡＮ-１２８規格に基づくバーパターンのバーコード１０を、高精度で印字することができる。
【００２３】
また、尾引き発色防止層６にシリコンを 1〜 3％含有させた場合には、尾引き発色防止層６の表面の滑性が向上し、サーマルヘッドとの接触に起因するインキ滓の発生が防止され、該インキ滓がサーマルヘッドに付着しなくなるため、これによっても印字品質を向上させることができる。
【図面の簡単な説明】
【００２４】
【図１】帳票用紙１の縦断面図である。
【図２】ハンディターミナル７による料金払込票９の作成状態を示す概略平面図である。
【図３】バーコードの読み取り試験の結果を示す図表である。
【図４】（イ）はバイナリレベルのバーコードの模式図、（ロ）はマルチレベルのバーコードの模式図である。
【図５】バーコードに尾引き発色が生じた状態を示す説明図である。
【符号の説明】
【００２５】
１  帳票用紙
２  紙基材
３  感熱発色層
４  印字面
５ａ  バーコード印字領域
５ｂ  文字情報印字領域
６  尾引き発色防止層
１０  バーコード
１１  文字情報
Ｆ  紙送り方向
【図１】
2005271525.tif 000003
【図２】
2005271525.tif 000004
【図３】
2005271525.tif 000005
【図４】
2005271525.tif 000006
【図５】
2005271525.tif 000007